(57)【要約】【課題】暗証情報の秘匿性を維持しつつ、認証のための時間を短くすることが可能な携帯端末装置を提供する。【解決手段】本発明の携帯電話は、外部装置と通信を行なう無線通信部１４と、暗証情報を入力するための入力部１３と、入力部１３から入力された暗証情報と、所定の最大桁数以下の桁数であってユーザによって予め設定されている暗証情報とを比較し、この比較結果が一致した場合に認証動作を許可し、比較結果が不一致の場合に、最大桁数までの桁数の暗証情報の入力を促し、最大桁数の暗証情報の入力がなされた際にエラー出力を行う制御部１１とを備える。【選択図】図２
2008113230.tif 000002
【特許請求の範囲】
【請求項１】
暗証情報を入力するための入力部と、
前記入力部から入力された暗証情報と、所定の最大桁数以下の桁数であってユーザによって予め設定されている暗証情報とを比較し、該比較結果が一致した場合に認証動作を許可し、前記比較結果が不一致の場合に、前記最大桁数までの桁数の暗証情報の入力を促し、前記最大桁数の暗証情報の入力がなされた際にエラー出力を行う制御部と、
を備えたことを特徴とする携帯端末装置。
【請求項２】
暗証情報を入力するための入力部と、
前記入力部から入力された暗証情報と、所定の最大桁数以下の桁数であってユーザによって予め設定されている暗証情報とを比較し、該比較結果が一致した場合に認証動作を許可し、前記比較結果が不一致の場合に、前記ユーザによって設定された暗証情報の桁数に該当する桁数の暗証情報が入力されてからの経過時間を監視し、前記経過時間が所定時間を越えた場合にエラー出力を行う制御部と、
を備えたことを特徴とする携帯端末装置。
【請求項３】
前記制御部は、
前記不一致の場合に、暗証情報の入力を促す情報を出力する
ことを特徴とする請求項２に記載の携帯端末装置。
【請求項４】
前記入力部は、
開閉自在に連結された第１の筐体もしくは第２の筐体に実装され、前記第１の筐体と第２の筐体とが閉じた状態において外部に露出している
ことを特徴とする請求項１から３のいずれか１項に記載の携帯端末装置。
【発明の詳細な説明】
【技術分野】
【０００１】
本発明は、携帯端末装置に関する。
【背景技術】
【０００２】
従来、ＲＦＩＤチップを搭載した携帯端末装置が知られている。この携帯端末装置は財布やメンバーズカード、あるいはチケットとして利用されている。ＲＦＩＤチップとは、人やものを識別する微小な無線ＩＣチップであり、このＲＦＩＤチップが搭載された部分を、例えば、コンビニ等に設置されたリーダ／ライタにかざすだけで電力の供給を受けることができ、リーダ／ライタとの間で情報交換を可能にするものである。
上記した携帯端末装置はセキュリティ機能が充実しており、暗証情報により正規なユーザ以外の利用を制限するロック設定、ある一定の時間だけ利用でき、あとは自動的にロックされるロッククイック解除等の機能を備えている。
【０００３】
上記した暗証情報を入力する場合、決められた桁数の暗証情報を入力後、決定キーを押下することで、暗証情報の認証が行なわれる技術がある。
また、暗証情報の桁数を任意に変更できる装置の場合（例えば、４桁以上６桁未満など）は、その桁数分の暗証情報を入力後に、決定キーを押下することで、暗証情報の認証が行なわれる。この場合、暗証情報の桁数自体も第三者に対して秘匿化することにより、暗証情報の秘匿性を高めるとしている（例えば、特許文献１参照）。
【０００４】
さらに、暗証情報の桁数を任意に変更できる装置において、キーの種類が少なく決定キーに割り当てるキーが無いか、もしくは決定キーと認識できるキーがない場合、タイマ設定により、入力開始から一定時間経過後（タイムアウト検出後）に入力された暗証情報の認証を行い、暗証情報の桁数を第三者に対して秘匿化し、暗証情報の秘匿性を高める技術が知られている。
【特許文献１】特開２００３−１３２０２５号公報
【発明の開示】
【発明が解決しようとする課題】
【０００５】
しかしながら、暗証情報の桁数を任意に変更できる従来の装置において、キーの種類が少なく決定キーに割り当てるキーが無いか、もしくは決定キーと認識できるキーが無い場合に、タイマ設定により、入力開始から一定時間経過後（タイムアウト検出後）に入力された暗証情報の認証を行う技術は、暗証情報の桁数の秘匿化を行うことができるものの、暗証情報の入力エラーが発生した場合、暗証情報として誤ったものを入力したのか、又は、ユーザの暗証情報の入力時間が、設定された暗証情報の入力時間を超えてしまったのかをユーザは確認できず、その結果、入力エラー後、ユーザが再度の暗証情報の入力を行う場合、先に入力した暗証情報と異なる正しい暗証情報を入力するのか、又は、先に入力した暗証情報と同じ暗証情報を入力しつつ、暗証情報の入力速度を早くして暗証情報の入力時間内に入力を行うように対応するべきなのか分からず、ユーザによる暗証情報の認証処理の時間が長くかかるという問題点を有している。
【０００６】
このように、従来技術では、暗証情報の桁数を任意に変更できる装置において、キーの種類が少なく決定キーに割り当てるキーが無いか、もしくは決定キーと認識できるキーが無い場合に、暗証情報の秘匿性を維持しつつ、認証のための時間を短くすることが困難であるという問題点を有している。
【０００７】
本発明は、上記課題を解決するためになされたものであり、暗証情報の秘匿性を維持しつつ、認証のための時間を短くすることが可能な携帯端末装置を提供することを目的とする。
【課題を解決するための手段】
【０００８】
本発明の第１の観点の携帯端末装置は、暗証情報を入力するための入力部と、前記入力部から入力された暗証情報と、所定の最大桁数以下の桁数であってユーザによって予め設定されている暗証情報とを比較し、該比較結果が一致した場合に認証動作を許可し、前記比較結果が不一致の場合に、前記最大桁数までの桁数の暗証情報の入力を促し、前記最大桁数の暗証情報の入力がなされた際にエラー出力を行う制御部と、を備えている。
【０００９】
本発明の第２の観点の携帯端末装置は、外部装置と通信を行なう無線通信部と、暗証情報を入力するための入力部と、前記入力部から入力された暗証情報と、所定の最大桁数以下の桁数であってユーザによって予め設定されている暗証情報とを比較し、該比較結果が一致した場合に認証動作を許可し、前記比較結果が不一致の場合に、前記ユーザによって設定された暗証情報の桁数に該当する桁数の暗証情報が入力されてからの経過時間を監視し、前記経過時間が所定時間を越えた場合にエラー出力を行う制御部と、を備えている。
【００１０】
好適には、前記制御部は、前記不一致の場合に、暗証情報の入力を促す情報を出力する。
【００１１】
好適には、前記入力部は、開閉自在に連結された第１の筐体もしくは第２の筐体に実装され、前記第１の筐体と第２の筐体とが閉じた状態において外部に露出している。
【発明の効果】
【００１２】
本発明によれば、暗証情報の秘匿性を維持しつつ、認証のための時間を短くすることができる。
【発明を実施するための最良の形態】
【００１３】
図１は、本発明の実施の形態にかかわる携帯端末装置の外観構造を示す図である。ここでは、本発明の携帯端末装置として、携帯電話が例示されており、キーが実装されたキー筐体１（第１の筐体）と、正面と背面にそれぞれメインＬＣＤ（Ｌｉｑｕｉｄ  Ｃｒｙｓｔａｌ  Ｄｉｓｐｌａｙ  Ｄｅｖｉｃｅ）とサブ有機ＥＬＤ（Ｅｌｅｃｔｒｏ  Ｌｕｍｉｎｅｓｃｅｎｃｅ  Ｄｉｓｐｌａｙ）が実装されたＬＣＤ筐体２（第２の筐体）とが、図示せぬヒンジ機構を介して開閉可能に結合された折り畳み式筐体が示されている。図１では、折り畳み式筐体において、キー筐体１とＬＣＤ筐体２とが閉じた状態が示されている。
ここで、ＬＣＤ筐体２の背面には円形の表示部２０としての有機ＥＬＤ２０ａが実装されており、更に、この有機ＥＬＤ２０ａの周りには操作入力部１３としてのタッチセンサが配置されている。なお、タッチセンサの詳細は、図４を参照しながら後述する。
【００１４】
図２は、図１に示される携帯端末装置の内部構成を示すブロック図であり、図１同様、携帯端末装置として携帯電話が例示され、発明と関係するブロックのみ抽出して示してある。
図２において、携帯電話は、制御部１１を制御中枢とし、記憶部１２と、操作入力部１３と、無線通信部１４と、表示部２０とが、アドレス、データ、コントロールのためのラインが複数本で構成される内部バス１５に共通接続される。なお、表示部２０は、図１に示した有機ＥＬＤ２０ａの他に、キー筐体１とＬＣＤ筐体２とを見開き状態に設定した状態（開いた状態）でユーザに見えるメインＬＣＤも含むものとする。
【００１５】
制御部１１は、操作入力部１３から入力可能な最大入力桁数の範囲内において入力された暗証情報を取得し、記憶部１２に保存されている暗証情報との比較を行い各種の認証動作を行う。この認証の結果の一例として、例えば無線通信部１４による外部装置（リーダライタ）との通信を許可し、不一致の場合にエラー出力を行う動作がある。
図３に、制御部１１の機能を示す。図３に示されるように、制御部１１の機能には、主制御部１１１と、暗証情報入力取得部１１２と、暗証情報認証部１１３と、ロック解除実行部１１４と、エラー情報出力部１１５と、操作入力桁数管理部１１６と、タイマ監視部１１７とが含まれる。
【００１６】
暗証情報入力取得部１１２は、操作入力部１３を介して入力された所定桁数の暗証情報を認識して暗証情報認証部１１３へ出力する。また、暗証情報認証部１１３は、主制御部１１１による制御の下、暗証情報入力取得部１１２により出力された暗証情報と、記憶部１２に保存されている暗証情報との比較を行い、当該比較結果を主制御部１１１へ出力する。
なお、操作入力桁数管理部１１６は、暗証情報の最大桁数を管理する。そして、操作入力桁数管理部１１６は、操作入力部１３による暗証情報の入力を監視する。そして、操作入力桁数管理部１１６は、暗証番号の入力済み桁数を計数し、主制御部１１１へ出力する。また、タイマ監視部１１７は、操作入力部１３による暗証情報の入力に基づいて所定時間を計時し、所定時間経過してタイムアウトが検出されたときにそのことを主制御部１１１に出力する。
【００１７】
ロック解除実行部１１４は、暗証情報認証部１１３による認証の結果、認証が成立した（一致）ときに起動され、無線通信部１４による外部装置（リーダライタ）との通信を許可する。また、エラー情報出力部１１５は、暗証情報認証部１１３による認証が不成立の場合（不一致）にエラー情報を生成し、表示部２０に対してエラーメッセージを表示する。
なお、主制御部１１１は、入力された暗証情報を取得し、記憶部１２に保存されている暗証情報との比較を行い、両者が一致した場合に無線通信部１４による外部装置（リーダライタ）との通信を許可し、不一致の場合にエラー出力を行うために、上記した各ブロック１１２〜１１６を制御する。
【００１８】
説明を図２に戻す。操作入力部１３は、キー筐体１とＬＣＤ筐体２とが閉じた状態において外部に露出するタッチセンサを含み、その内部構成は図４に示されている。
図４（ａ）に示されるように、タッチセンサは、ユーザの押下操作により変化する静電容量を検知して信号を出力するセンサＳ１〜Ｓ８を備える。また、タッチセンサ近傍には、押下されることにより入力がなされるスイッチＫＥＹ１〜ＫＥＹ４が配置される。これらタッチセンサやスイッチはロック解除のための暗証情報の入力に用いられる。これらのタッチセンサやスイッチによる暗証情報の入力は、ＫＥＹ１〜ＫＥＹ４の押下と、Ｓ１〜Ｓ８のセンサへの接触の有無との組み合わせなどによりなされる。
【００１９】
このタッチセンサは、図４（ｂ）に示されるように、有機ＥＬＤ（表示部２０）の周りに、スイッチＫＥＹ１〜ＫＥＹ４とセンサＳ１〜Ｓ８とがタッチパネル（ハッチング部分）として実装されるものとする。なお、ここでは、操作入力部１３として、タッチセンサのみ示したが、他に、キー筐体１に実装されるキースイッチ、あるいは携帯電話の側面に実装されるサイドキーも含まれるものとする。
【００２０】
説明を図２に戻す。無線通信部１４は、ＲＦＩＤチップ１４０と、バス接続インタフェースユニット（ＳＣＵ）１６０とにより構成される。ここで図５に、ＲＦＩＤチップ１４０の内部構成を示す。
図５に示されるように、ＲＦＩＤチップ１４０は、ループアンテナ１４１およびコンデンサ１４２から成るＬＣ回路と、これら以外のコンポーネントとが１チップに集積された半導体素子である。無線通信部１４は、電磁誘導を用いて接続される、コンビニや改札機に設置された図示せぬ外部装置との間でデータを半二重通信する。ＳＣＵ１６０は、内部バス１５とＲＦＩＤチップ１４０とのインタフェースを担い、制御部１１（主制御部１１１）により生成されるコマンドを中継し、あるいはその応答データの認証を行なう。
【００２１】
ＲＦＩＤチップ１４０が内蔵するＣＰＵ１４３は、ＲＯＭ１４４に記録されている制御プログラムをＲＡＭ１４５上に展開し、ＲＦＩＤチップ１４０全体の動作を制御する。例えば、ＣＰＵ１４３は、外部装置から輻射された電磁波がアンテナ１４１で受信されたとき、それに応じて無線通信部１４に設定されているユニークな識別番号を含む情報をリーダデバイスに通知し、あるいは外部装置の要求に応じて商取引の履歴を出力する。外部装置に通知された情報は、内部バス１５を経由して制御部１１に取り込まれる。
【００２２】
アンテナ１４１とコンデンサ１４２により構成されるＬＣ回路は、外部装置から輻射される所定の周波数の電磁波と共振する。インタフェース部１４７は、ＡＳＫ復調部１５４において、アンテナ１４１を介して受信した変調波（ＡＳＫ；Ａｍｐｌｉｔｕｄｅ  Ｓｈｉｆｔ  Ｋｅｙｉｎｇ変調波）を包絡線検波して復調し、復調後のデータをＢＰＳＫ（Ｂｉｎａｒｙ  Ｐｈａｓｅ  Ｓｉｆｔ  Ｋｅｙｉｎｇ）復調部に出力する。また、インタフェース部１４７は、アンテナ１４１において励起された交流磁界をＡＳＫ復調部１５４により整流し、それを電圧レギュレータ１５２で安定化し、各ブロックに直流電源として供給する。外部装置から輻射される電磁波の電力は、ＲＦＩＤチップに必要な電力を賄う磁界を発生させるように調整されている。
【００２３】
また、発振部１５５はＰＬＬ（Ｐｈａｓｅ  Ｌｏｃｋｅｄ  Ｌｏｏｐ）回路を内蔵し、受信信号のクロック周波数と同一のクロック信号を発生する。更に、インタフェース部１４７は、例えば、残金情報等の要求をリーダデバイスに送信する場合、ＢＰＳＫ変調部１４８から供給されるデータに対応して、例えば、所定のスイッチング素子（図示せず）をＯＮ／ＯＦＦさせ、ＯＮ状態にあるときだけ所定の負荷をアンテナ１４１に並列に接続させることにより、アンテナ１４１の負荷を変動させる。
ＡＳＫ変調部１５３は、アンテナ１４１の負荷の変動により、ＢＰＳＫ変調部１４８から供給されたＢＰＳＫ変調波をＡＳＫ変調し、その変調成分を、アンテナ１４１を介してリーダデバイスに送信する。すなわち、リーダデバイスのアンテナの端子電圧を変動させる。
【００２４】
ＢＰＳＫ復調部１４９は、ＡＳＫ復調部１５４で復調されたデータがＢＰＳＫ変調されている場合、図示せぬＰＬＬ回路から供給されるクロック信号に基づいて、そのデータの復調を行い、当該復調したデータをデータ受信部１５１に出力する。データ受信部１５１は、供給されたデータをバス１５６経由でＣＰＵ１４３へ適宜出力する。ＣＰＵ１４３は、このデータをＲＡＭ１４５またはＥＥＰＲＯＭ（Ｅｌｅｃｔｒｏｎｉｃａｌｌｙ  Ｅｒａｓａｂｌｅ  Ｒｅａｄ  Ｏｎｌｙ  Ｍｅｍｏｒｙ）１４６へ記憶させる。
ＥＥＰＲＯＭ１４６に記憶されているデータは、ＣＰＵ１４３により読み出され、データ送信部１５０へ供給される。ＢＰＳＫ変調部１４８は、データ送信部１５０から供給されるデータにＢＰＳＫ変調を行い、インタフェース部１４７のＡＳＫ変調部１５３へＢＰＳＫ変調されたデータを出力する。なお、ＥＥＰＲＯＭ１４６には、電子マネー情報等が記憶される。ユーザは、この電子マネーを利用して購入した商品、あるいはサービス等の代金を決済することができる。この履歴もＥＥＰＲＯＭ１４６に記憶される。
【００２５】
以下、図１〜図５に示す本発明の実施の形態にかかわる携帯端末装置の動作につき、図６〜図８を参照して詳細に説明する。
【００２６】
（実施の形態１）
図６、図７は、本発明の実施の形態１にかかわる携帯端末装置の動作を示すフローチャートである。以下、図６、図７に示すフローチャートを参照しながら図１〜図５に示す本発明の実施の形態１の動作について詳細に説明する。
【００２７】
図６、図７のフローチャートにおいて、表示部２０には、制御部１１による制御の下、ロック解除のためのメニュー画面が表示されているものとする（図６のＳ６０１）。
【００２８】
ロック解除のメニュー画面の一例が図８（ａ）に示されている。図８（ａ）に示されるように、機能設定メニューから、「セキュリティロック」が選択された場合、選択項目として「ロック解除」を含む、「ロック設定」、「解除コード変更」からなるメニュー画面が表示される。
【００２９】
ここで、ユーザが操作入力部１３に割り付けられた暗証情報入力開始キー（ソフトキー）を押下することにより、制御部１１がこれを検知し（Ｓ６０２“Ｙｅｓ”）、表示部２０を制御して暗証情報（解除コード）入力を促す画面（解除コード入力画面）を表示する（Ｓ６０３）。
【００３０】
解除コード入力画面の一例が図８(ｂ)に示されている。図８(ｂ）中、点線枠内が暗証情報としての解除コード入力エリアである。
【００３１】
次に、解除コード入力画面を見たユーザは、操作入力部１３を操作して許可された最大桁数の範囲内において暗証情報の入力を行なう。ここで、許可された最大桁数とは、携帯電話に対して設定された暗証情報の入力桁数の最大数である。ユーザは、この最大桁数以下の桁数の暗証情報を設定することができる。
【００３２】
最大桁数の管理は、主制御部１１１による制御の下、操作入力桁数管理部１１６が行なう。このとき、表示部２０には、暗証情報を１桁入力する毎に次の桁に関する暗証情報の入力を促す画面が表示され、逐次該当桁の暗証情報の入力が通知される（Ｓ６０４〜Ｓ６０７）。
【００３３】
例えば、携帯電話の画面には、入力された暗証情報の桁数と同じ数の＊が表示される。ここでは、暗証情報が２桁の場合を例示しており、このため、２桁目の暗証情報が入力された時点で暗証情報認証部１１３による認証操作が起動される（Ｓ６０８）。
【００３４】
ここで、暗証情報認証部１１３は、操作入力部１３により入力された暗証情報を、記憶部１２に保存されてある暗証情報（ロック設定時に登録）との比較を行い、その結果を主制御部１１１へ出力する。
【００３５】
なお、暗証情報は、ユーザが、図８（ａ）に示すセキュリティロック画面の選択項目である「解除コード変更」を選択することにより、図８（ｂ）に示す解除コード入力画面に遷移し、この解除コード入力画面に、許可された最大桁数以下のユーザ所望の解除コードを入力することにより、記憶部１２に登録される。
財布やメンバーズカード、あるいはチケットとしてのサービスを享受するＲＦＩＤを使用したアプリケーションの使用前は、通常、解除コードとしてデフォルト値（例えば、１２３４）が設定されている。したがって、使用時には、上記した解除コードの変更操作を経て暗証情報が登録され、上記したロック設定、あるいはロック解除が可能になる。この暗証情報の登録により、ユーザが入力する暗証情報の桁数も決定されることとなる。
【００３６】
主制御部１１１は、暗証情報認証部１１３から入力された暗証情報と記憶されている暗証情報とが一致している旨の情報を取得した場合（Ｓ６０８“認証成立”）、ロック解除実行部１１４を起動する。ロック解除実行部１１４は、無線通信部１４による外部装置との通信を許可する。そして、主制御部１１１は、表示部２０に、ロックを解除した旨を示すメッセージ「解除しました」を表示する（Ｓ６０９）。そして、主制御部１１１は、タイマ監視部１１７がタイムアウトを検出したことに基づいて、あるいは任意キーの押下を待って（Ｓ６１０“Ｙｅｓ”）、表示部２０にロック解除中を示す画面を表示する（Ｓ６１１）。
【００３７】
実施の形態１の携帯電話は、暗証情報の最大桁数の入力完了を契機に認証を行なうものである。以下、入力される暗証情報が２桁、許可された最大桁数を４桁として本実施の形態１の携帯電話の動作についてさらに説明する。
【００３８】
実施の形態１では、図６のフローチャートに示されるように、まず、入力された暗証情報（ここでは２桁）で暗証情報の認証を行い（Ｓ６０８）、認証が成立した場合（Ｓ６０８“認証成立”）は、暗証情報入力直後にロックを解除する（Ｓ６０９〜Ｓ６１１）。
一方、設定された桁数の暗証情報で認証を行い、認証が不成立の場合（Ｓ６０８“認証不成立”）、最大桁数以下の、残る２桁の暗証情報入力を促し（図７のＳ６１４、Ｓ６１５）、暗証情報の最大桁数の入力完了時点（Ｓ６１５“Ｙｅｓ”）でエラー表示や警告音鳴動等を行う（Ｓ６１６）。そして、タイマ監視部１１７がタイムアウトを検出したことをうけ、あるいは任意キーの押下を待ってＳ６０１の処理に戻る（Ｓ６１７“Ｙｅｓ”）。
【００３９】
上記した本発明の実施の形態１によれば、制御部１１は、入力された暗証情報を取得して保存されている暗証情報との比較を行い、両者が一致した場合、無線通信部１４による外部装置との通信を許可し、不一致の場合、最大桁数を満たす暗証情報の入力を促し、当該最大桁数を満たす暗証情報の入力を待ってエラー出力を行う。これにより、本実施の形態１は、最大入力桁数の暗証情報が入力された際にエラーメッセージを通知するため、ユーザは、入力された暗証情報が誤りであったことを認識でき、新たな暗証情報によって認証処理を行うことができ、認証処理の時間を短くすることができる。また、本実施の形態１では、第三者が暗証情報の設定桁数を知ることが困難となり暗証情報の秘匿性は高くなる。また、実施の形態１では、認証が正しい場合は即時に認証が許可されるため認証処理の時間が多くかからない。また、ユーザによる最大桁数の暗証情報の入力が迅速に行われれば、認証処理の時間が多くかからない。
【００４０】
（実施の形態２）
図６、図９は、本発明の実施の形態２にかかわる携帯端末装置の動作を示すフローチャートである。以下、図６、図９に示すフローチャートを参照しながら図１〜図５に示す本発明の実施の形態２の動作について詳細に説明する。
【００４１】
実施の形態２において、図６、図７に示す実施の形態１との差異は、認証不成立時、設定された桁数の暗証情報を取得した後からの経過時間の計測を行って認証を行う点にある。図６に示すフローチャートにおいて、ロック解除画面表示から始まり、入力された暗証情報桁数（ここでは２桁）で認証を行い、認証成立の場合、暗証情報入力直後にロックを解除する動作は（Ｓ６０１〜Ｓ６１１）、実施の形態２の動作は実施の形態１の動作と同じであるため、重複を回避する意味で説明を省略する。
一方、実施の形態２は、設定桁数の暗証情報で認証を行い（Ｓ６０８）、認証不成立の場合（Ｓ６０８“認証不成立”）、図９のフローチャートに示されるように、設定桁数の暗証情報の入力が完了した後からの所定時間、例えば２秒のタイムアウトを検出してエラー表示や警告音鳴動等を行う（Ｓ６２０“ＹＥＳ”、Ｓ６２３）。そして、タイマ監視部１１７がタイムアウトを検出したことをうけ、あるいは任意キーの押下を待ってＳ６０１の処理に戻る（Ｓ６２４“Ｙｅｓ”）。なお、所定時間内の場合は（Ｓ６２０“Ｎｏ”）、制御部１１は、暗証情報入力を促す情報（例えば、「解除コードを入力して下さい」）を表示部２０に表示させる。（Ｓ６２１，Ｓ６２２）。
【００４２】
上記した実施の形態２によれば、制御部１１は、入力された暗証情報を取得して保存されている暗証情報との比較を行い、両者が一致した場合、無線通信部１４による通信を許可し、不一致の場合、設定された暗証情報の桁数の暗証情報が入力されてからの経過時間を監視し、この経過時間が所定時間を越えた場合にエラー出力を行う。
このため、本実施の形態２では、入力された情報が誤っていた場合にエラーメッセージが表示され、タイムアウトは行われない。そのため、本実施の形態２において、
ユーザはタイムアウトではなく、暗証情報の入力に誤りが発生したことを認識でき、新たな暗証情報によって認証処理を行うことができ、認証処理の時間を短くすることができる。また、本実施の形態2では、暗証情報の入力などの操作に誤りがありエラーを通知する場合に、暗証情報の桁数と同じ桁数の暗証情報が入力された後からの経過時間を計測し、この計測した時間が所定時間を経過したか否かを監視した結果に基づいているため、暗証情報の認証に必要な桁数の情報が入力されてから所定時間の経過によってエラー通知を行うことができ、認証に要する時間を抑えることができる。また、実施の形態２では、認証が正しい場合は即時に認証が許可されるため認証動作の時間が多くかからず、また、本実施の形態２では、入力された暗証情報が設定されている暗証情報と不一致であった場合に暗証情報の入力を促すため、設定された暗証情報の桁数が第３者に判別困難となり、暗証情報の秘匿性が高くなる。
【００４３】
なお、上記した実施の形態１，２において、筐体１、２を閉じた状態で暗証情報の入力を実現するために操作入力部１３として、タッチセンサを用いたが、他に、閉じた状態でＯＮ／ＯＦＦ可能なサイドスイッチを割当てても良い。
このように、上記した実施の形態１，２において、筐体１、２を閉じた状態で暗証情報の入力を実現するために閉じた状態で外部に露出する操作入力部１３を設けているため、携帯電話を閉じた状態であっても、無線通信部のロックを解除でき、利便性を向上させることができる。
また、上記した実施の形態１，２において、本発明の携帯端末装置として、折り畳み式携帯電話のみ例示したが、ストレートタイプの携帯電話でも同様の効果が得られ、また、携帯電話に限らず、ＰＤＡ（Ｐｅｒｓｏｎａｌ  Ｄｉｇｉｔａｌ  Ａｓｓｉｓｔａｎｔｓ）等の携帯情報機器であってもよい。
【００４４】
また、図２、図３に示す制御部１１は、具体的にはマイコンで構成されるものとし、マイコンが内蔵のＲＯＭに記録されたプログラムを読み出して逐次実行することにより、制御部１１を構成する、主制御部１１１、暗証情報入力取得部１１２、暗証情報認証部１１３、ロック解除実行部１１４、エラー情報出力部１１５、操作入力桁数管理部１１６、タイマ監視部１１７のそれぞれが持つ機能を実現するものとする。
なお、このとき、制御部１１（マイコン）は、操作入力部１３と、表示部２０と、無線通信部１４との接続は、内蔵する入出力ポートを介して行なわれるものとする。また、このとき、暗証情報は、外付けされるフラッシュメモリ等で構成される記憶部１２に割り付けられ記憶される。
【図面の簡単な説明】
【００４５】
【図１】本発明の実施の形態にかかわる携帯端末装置の外観構造を記す図である。
【図２】図１に示される携帯端末装置の内部構成を示すブロック図である。
【図３】図２に示す制御部の内部構成を機能展開して示したブロック図である。
【図４】図２に示す操作入力部（タッチセンサ）の内部構成の一例を示す図である。
【図５】図２に示す無線通信部の内部構成の一例を示すブロック図である。
【図６】本発明の実施の形態１，２にかかわる携帯端末装置の動作を説明するために引用したフローチャートである。
【図７】本発明の実施の形態１にかかわる携帯端末装置の動作を説明するために引用したフローチャートである。
【図８】本発明の実施の形態１にかかわる携帯端末装置の画面構成の一例を示す図である。
【図９】本発明の実施の形態２にかかわる携帯端末装置の動作を説明するために引用したフローチャートである。
【符号の説明】
【００４６】
１…キー筐体、２…ＬＣＤ筐体、１１…制御部、１２…記憶部、１３操作入力部（入力部）、１４…無線通信部、１５…内部バス、２０…表示部（サブＬＣＤ）、１１１…主制御部、１１２…暗証情報入力取得部、１１３…暗証情報認証部、１１４…ロック解除実行部、１１５…エラー情報出力部、１１６…操作入力桁数管理部、１１７タイマ監視部。
【図１】
2008113230.tif 000003
【図２】
2008113230.tif 000004
【図３】
2008113230.tif 000005
【図４】
2008113230.tif 000006
【図５】
2008113230.tif 000007
【図６】
2008113230.tif 000008
【図７】
2008113230.tif 000009
【図８】
2008113230.tif 000010
【図９】
2008113230.tif 000011